(57)【要約】【課題】周囲の住宅等の建物と相調和したものとして設置することのできる非常時避難装置を提供することにある。【解決手段】  地盤側から立ち上がる複数本の支柱と、これら支柱の上部に設けられる避難ステージを下から支える避難ステージ受枠と、避難ステージの外周囲を取り囲む落下安全ガードと、地盤側から避難ステージへ避難者を避難させ得る登降手段とを備え、これら少なくとも支柱・避難ステージ受枠・落下安全ガードが金属製である非常時避難装置であって、少なくとも前記避難ステージ・支柱・落下安全ガードの表面が木調仕上げになっていることを特徴とする。このものにおいて、登降手段も木調仕上げになっている。登降手段を階段とした場合、その階段構造体そのものを木材や木調樹脂板で仕上げたものも含まれる。【選択図】図１
2008050927.tif 000002
【特許請求の範囲】
【請求項１】
地盤側から立ち上がる複数本の支柱と、これら支柱の上部に設けられる避難ステージを下から支える避難ステージ受枠と、避難ステージの外周囲を取り囲む落下安全ガードと、地盤側から避難ステージへ避難者を避難させ得る登降手段とを備え、これら少なくとも支柱・避難ステージ受枠・落下安全ガードが金属製である非常時避難装置であって、少なくとも前記避難ステージ・支柱・落下安全ガードの表面が木調仕上げになっていることを特徴とする非常時避難装置。
【請求項２】
請求項１記載のものにおいて、登降手段も木調仕上げになっている非常時避難装置。
【発明の詳細な説明】
【技術分野】
【０００１】  本発明は、津波や洪水、土石流や土砂崩れなどの非常時に迅速かつ安全に避難することのできる非常時避難装置に関する。
【背景技術】
【０００２】  地盤にコンクリート基礎を設け、同基礎の３点からそれぞれ支柱を立ち上がらせるとともに、これら支柱の高さ方向途中を連結梁で固定し、さらに支柱上部を内側避難ステージ受枠で連結固定し、同受枠の外側に外側避難ステージ受枠を設けて、外側避難ステージ受枠回りに落下安全ガードを立設した津波避難装置がある。そして、内外避難ステージ受枠上には避難ステージが設けられ、地盤側から登降手段により避難者を避難ステージへ避難させ得るようになっている。
【発明の開示】
【発明が解決しようとする課題】
【０００３】  この避難装置は、津波避難用タワーとも称するのであるが、これまでは同タワー全体が全て金属製で、例えば、支柱は鉄骨丸パイプ、連結梁や内外の避難ステージ受枠も鉄骨製であり、さらに落下安全ガードや避難ステージ並びに登降手段（階段）も全て金属製で露出したものになっている。このように全てが金属製であると、剛強さは感じられるもののタワーの設置される周囲の木造住宅と相調和しにくく、違和感が残ることからその対策が望まれていた。
上記にかんがみ、本発明は、周囲の住宅等の建物と相調和したものとして設置することのできる非常時避難装置を提供することにある。
【課題を解決するための手段】
【０００４】  上記課題を解決するため、請求項１記載の発明は、地盤側から立ち上がる複数本の支柱と、これら支柱の上部に設けられる避難ステージを下から支える避難ステージ受枠と、避難ステージの外周囲を取り囲む落下安全ガードと、地盤側から避難ステージへ避難者を避難させ得る登降手段とを備え、これら少なくとも支柱・避難ステージ受枠・落下安全ガードが金属製である非常時避難装置であって、少なくとも前記避難ステージ・支柱・落下安全ガードの表面が木調仕上げになっていることを特徴とする。ここに木調とは、自然木は勿論、表面を木調とした樹脂板、木調擬似モルタルなど他の材質によるものも含み、また、木調シートあるいはフィルム（木材に木調シートやフィルムを貼ったものを含む）も含む。自然木とは、樹皮付きのもの、製材工程を経たもの（集成材を含む）、粉砕された微細木粉をコンパウンドで固結したもの、木目を活かすべく表面を焼成したものなどすべてを含む（以下同じ）。
請求項２記載の発明は、請求項１記載のものにおいて、登降手段も木調仕上げになっている。登降手段を階段とした場合、その階段構造体そのものを木材や木調樹脂板で仕上げたものも含まれる。
【発明の効果】
【０００５】  本発明によれば、周囲の住宅等の建物と相調和したものとして設置することのできる非常時避難装置を提供することができる。
【発明を実施するための最良の形態】
【０００６】  以下の各実施形態で説明する個々の提案例は他の実施形態にも適用されるものとする。
図１ないし図６は、本発明に係る非常時避難装置の一実施形態を示し、図１は図２のＩ−Ｉ線に沿った平面図、図２は図１の避難装置の正面図、図３は図２のＩＩＩ−ＩＩＩ線断面図、図４は図２のＩＶ−ＩＶ線断面図、図５は図６の右側面図、図６は図５のＶＩ−ＶＩ線断面図である。【０００７】  これらの図において、１はコンクリート基礎で、その上に一体の据付ブロック２…が平面正三角形頂点位置に対応して配備されている。これらのブロック２…にはコンクリート基礎１からのアンカーボルト（図示省略）がそれぞれ複数本突き出している。【０００８】  ３は支柱で、同支柱３は、ここでは丸鋼管パイプ製でメッキ処理したものになっているが、角パイプやＨ型鋼やアングル鋼などでもよい。また、同支柱３は、それぞれが１本ものになっているが、各支柱３が複数部材の組み合わせによるものでもよい。例えば、４本の細目の丸パイプを合わせて１本化したものなどである。支柱３の本数は３本に限定されず４本以上でもよい。２本の場合もある。
支柱３は、下端に取付座４を備えていて、前記アンカーボルトに連結されるようになっている。
また、支柱３のうち津波の襲来してくる側に先行した位置には、支柱３から少し離れて、同じく丸鋼管製の予備防御材５が垂直に立てられており、この防御材５は船舶や大木などの漂流物が直接支柱３に当たって損傷や衝撃を与えないようにするためのものである。【０００９】  この支柱３は、津波の襲来想定高さより１ｍ以上高いものとされるとともに、その高さ方向途中には、図２および図４に示すように、Ｈ型鋼でなる中段横連結梁６が横架一体化されている。この梁６は、図示では１本もので示してあるが、横架する一方と他方の支柱３から短い基部Ｈ型鋼を突設しその間に長い梁を連結してなるものである（以下の梁も同様のものがある）。【００１０】  前記支柱３の上端には、図３に破線で示すように、相互間をつなぐ内側避難ステージ受枠８が一体化されるとともに、その外側には、補強受材９を介して外側避難ステージ受枠１０が一体化されている。これらの避難ステージ受枠８，１０や補強受材９…などを底受け材として上面に避難ステージ１１が構成され、この避難ステージ１１は、例えば、国産の木材に基づくデッキ材を敷設することを原則としてその全体が木調仕上げになっているが、外材を使用してもよいことは勿論である。【００１１】  前記避難ステージ１１をステージ床材１２…に取り付けるには、例えば、図３に破線で示すように内側避難ステージ受枠８と外側避難ステージ受枠１０および前後の補助受材９で囲まれた個所についていえば、その枠内に沿って木材による内添材１３を横ボルトなどの止着具により固定しておき、その上面を利用して前記各ステージ床材１２を上からの止着具（ボルトやスクリュウネジなど）により固定するようにする。図３では他の個所についても同様の方法で取り付ける。【００１２】  また、これらステージ床材１２…は、図５に示すように、互いの間に若干の隙間１４を空けて敷設しておけば水抜きができて避難時に好ましい床面状態を提供することができるし腐食も抑えることもできる。この場合、図７の右上欄に示すように、ステージ床材１２の角に面取り１５や丸取りをしておけば、水抜き効率が上がる。
さらに、ステージ床材１２…は、その長手方向を少しの傾斜を持たせておけば雨水の排除が促進されて溜まるおそれがない。幅方向に向けて傾斜させることもできる。勿論なと幅方向の複合方向に傾斜させることもできる。【００１３】  図５に示すように、前記ステージ床材１２の底面には、隙間１４に対応するように発泡スチロールなどの底パッキン１６…を配備しておけば雨水が図に直交する方向に流れて下へ落ちるおそれが少なく、しかも、同パッキン１６でステージ床材１２を浮力かしておけばステージ床材１２それ自体が腐るおそれがなくなる。このパッキン１６は、右欄図のようにその上面に切り溝１７を形成しておけばパッキン１６の上面を雨水が流れたとしてもその途中でこの水１７に捉えられて溝長手方向に流すことで下へ落ちるおそれがなくなる。【００１４】  また、図５の左下欄図のように、リップ付き溝型鋼をパッキン材１８とすればその溝内が雨水の通過空間となって落とすことなく外側まで導くことができる。
さらに、図５の下欄中央に示すように、ステージ床材１２を段差組み込み方式としてステージ床材１２間にコーキング１９を埋着しておけば雨水の落下は阻止される。また、図５の最も下欄に示すように、ステージ床材１２を段差組み込み方式にしてその段差係合面間を凹凸部ａ、ｂで合わせるようにすれば、凹部ｂに添って雨水が流れるようになる。【００１５】  さらに、ステージ床材１２については、図６のように外側避難ステージ受枠１０の内側に添って配した内添材２０上にやや浮かせた状態で差入れ固定材２１を配備しておいて同ステージ床材１２…を次々に差し込んでゆき固定材２１で押さえ付けて固定するようにしてもよい。ステージ床材１２の他端は、押付け固定材２２で固定するようにする。なお、仮想線で示すように、ステージ床材１２の長手方向中途上には、反り上がり防止材２３を付加してもよい。前記ステージ床材１２の上面には、腐食防止のため塗装を施すことがある。【００１６】  図２および４において中段横連結梁６の水平向きの外面には、それがＨ型鋼のような場合、溝内に嵌るような（図８参照）凸型木調外装材２５を張り付けることがある。この場合、図２のようにコーチスクリュウのような止着具２６により裏側から固定してもよいし、通しボルトで固定するようにしてもよい。中段横連結梁６（内側避難ステージ受枠８・外側避難ステージ受枠１０なども含む）は、Ｈ型鋼以外に箱型鋼やアングル鋼、丸鋼管などでもよい。横連結梁６の上面や底面などの他の外面にも木調材を張り付けることがある。底面の木調材については補強斜材２７のあるところはそれを避けるように切欠き状にした木調材で対処する。【００１７】  支柱３や予備防御材５回りについては、丸太木材にぐるりに巻いたり、図４の右下欄に示すように、角材２９…を巻いたりしてもよい。これらの場合、ワイヤ３０をぐるりに回して止着具３１で打ち込み固定してゆく方法で固定したり、支柱３や予備防御材５の表面に予めアンカー３２を立てておき、ナットで締め付け固定するようにしてもよい。【００１８】  ３４は下部階段本体、３５は下部階段側桁、３６は下部階段手摺であり、３７は踊り場、３８は踊り場側桁、３９は踊り場手摺を示し、さらに４０は上部階段本体、４１は上部階段側桁、４２は上部階段手摺をそれぞれ示す。これらのメンバーについても木調仕上げとする。そのため、例えば、図２に示すように、上部階段本体４０の踏み面や蹴込面の表面には薄板の木調仕上げ材４３を張り付けてスリップ防止作用ももたせるものとする。上部階段側桁４１の側面にも切欠溝付きの側面木調仕上げ材４４を張り付けるものとする。上部階段手摺４２についても図示していないが木調仕上げとする。階段（登降手段）のほかの個所である、下部・踊り場も同様に木調仕上げを統一して施す。木調はタワー全体として統一感をもたせることは勿論である。
なお、図４に仮想線で示すように、下部階段や上部階段の中途には、手摺部分を介して回転あるいは変曲自在な一部対向板４５を上下数段に配してもよい。この一部対向板４５は、登降する人の下方ｋらの覗きを防止するために機能する。また、図４に仮想線で示すように、階段の一部を直線状でなく一部鉤型部分４６として変曲させたものにして上記覗き対策としてもよい。【００１９】  ２階部分については、図４に仮想線で示すように、中段横連結梁６間に補強受材を配備するなどして簡易トイレ４７や備蓄用の収納庫４８を載置固定して踊り場３７の一側開放部からそれらを利用できるようにしてもよい。２階部分には、全面的に木調避難ステージを構成してもよい。【００２０】  タワー上部においては、図１、図２に示すように、上部階段の上位スペースを利用して収納ボックス４９を配してもよいし、前記避難ステージ１１には、木調の一体椅子５０や収納ボックス（備蓄倉庫）などを配してもよい。【００２１】  上部の避難ステージ１１には、支柱３をそのまま伸ばしたり図２のように支柱３よりもやや細目の丸パイプ製のステージ内支柱５３を３点配置して立設し、これらの間をつなぐように天梁５４を横架固定した構造物を付加することもできる。この場合、その各ステージ内支柱５３上には、避難目標誘導灯５５を装備してもよい。また、これらの構造物は全て鋼管製であるので、木調仕上げとするが。例えば、ステージ内支柱５３については、図１の左欄に示すように、半円断面形状で連続した木材で折れ曲がり可能な縦長状の木調仕上げ材５６を囲んで固定するようにしてもよい。【００２２】  また、上の天梁５４については、図１の右上欄に示すように、梁上面を露出した状態のままでそれ以外の周面を包むように木調仕上げ材５７を嵌め込み固定してもよい。前記露出しておくことで、当該上面に着雷を促し、ステージ内支柱５３や支柱３を通じてアースされるようにすることができる。この場合、図２に示すように、支柱３に導電中継板５８を取り付けておき、アース線５９を地盤内に導くようにしてもよく、また、右側支柱３のように支柱３内にそうした中継板５８とアース線５９を設けてアースするようにすることもできる。その他の着雷のため、屋上手摺（落下安全ガード）６１に避雷針６２を立設してもよい。尚、天梁５４は、図２の仮想線のように避難者より少し高い１８０ｃｍ前後にすれば避難が楽になる。また、補強斜材２７にも三角形をした木材をサンドイッチ式に合わせるなどして木調仕上げを施すものとする。【００２３】  屋上手摺（落下安全ガード）６１や外側避難ステージ受枠１０に対するより具体的な木調仕上げ方法を図７および図８に示す。すなわち、Ｈ型鋼でなる外側避難ステージ受枠１０の外側には、それに嵌り合う形をした木調仕上げ材６５を止着具６６により固定し、手摺６１の上桟６７に上部木調仕上げ材６８を被せ付ける。上部木調仕上げ材６８は同図右上欄のように着雷を可能にするよう上桟６７を露出させるＵ字溝状のものにすることができるが、この場合、さらに右図のように縦桟６９に対する切欠７０付きの上部木調仕上げ材７１とすることができる。手摺支柱７３回りにも木調仕上げ材７４を付すとともに、縦桟６９…にも木調仕上げ材を��すものとする。【００２４】  手摺６１の下桟７５にも下部木調仕上げ材７６を付すとともに、外側避難ステージ受枠１０上にも梁上仕上げ材７７を木調で配すものとする。
尚、図８に仮想線で示す下板７９は上のステージ床材１２が腐っても同床材１２や避難した人が落ちないようにするための補助板である。
また、図８の左上欄に示すように、ステージ床材１２は、内部にヒーター８０付きのものにして寒冷地にタワーが設置されて場合にも氷結なく安全に避難できるようにすることができる。このヒーター８０は通常電源によるもの以外にソーラーや風力発電などを電源として利用することができる。８１は欄干である。【００２５】  図９は他の実施形態を示す。
非常時避難装置は、内部は丸鋼管であるが外装を木調仕上げとした支柱８２の複数本を同じく木調仕上げの横連結梁８３で２階および屋上部分で連結し、屋上の横連結梁８３（図示省略）の外回りに外側避難ステージ受枠８４を設けてこれも木調仕上げとするとともに、階段８５も木調としたものである。【００２６】  横連結梁８３・外側避難ステージ受枠８４・階段８５は内芯が構造材である鋼製である。さらに、外側避難ステージ受枠８４内のスペースを避難ステージ８６として木質のステージ床材８７…を敷設しその外周りに木調仕上げの（落下安全ガード）手摺８８を立設配備したものである。この手摺８８は１．８〜２ｍ前後と高くされている。次のテント装置９２を伸展させて使用する際に避難者がその下の避難ステージ８６上で通常姿勢で歩くのみ支障がない充分な高さに設定されている。
尚、８９はステージ内支柱、９０は天梁で、これらも内芯は鉄骨製でそれを木調仕上げとしてある。【００２７】  前記テント装置９２は、手摺８８の平面形状より少し広く形成したテント幕９３をタワー外の１辺の延長線上２箇所に固定した受けブラケット９４間に渡架した巻き軸９５周りに巻きまわして脱着自在な止めリング９６により弾発的に止め付けておき、使用時は樹脂製止めリング９６をその弾性に抗して拡げて外し幕９３の一端を避難ステージ８６側へ引き寄せて手摺８８の全面上に広げるようにしたものである。テント幕９３には外周縁に止め孔（結び紐付きにしてもよい）９７が設けられているので、それを介して手摺８８の全周にわたって止め付けるようにする。テント幕９３自体のバタツキを押さえるため、同幕９３内に補強芯条を平行状あるいは交差状に通しておいてもよい。また、天梁９０へ止め付け得るようにテント幕９３の裏面に結ぶ紐を備え付けておいてもよい。尚、テント幕９３は巻き取り装置９１により電動で巻き取り可能であるが、手動巻取り方式にしてもよい。手動の場合、避難ステージ８６内に巻き取りレバーを設定し、同レバーを回転操作するとギアやベルト等の伝導により前記巻き軸が回転連動するように構成すれば操作が安全になる。巻き軸９５は、図示よりも少し天梁９０寄り、すなわち、避難ステージ８６の面上にくるように設定してもよい。【００２８】  中央のステージ内支柱８９および天梁９０で構築されたフレーム上にテント幕９９を伸展可能なように同フレームの天梁９０の一辺に沿って巻き軸を設けて受けブラケット１００で支持し、同巻き軸周りにテント幕９９を巻きつけておくようにしてもよい。１０１は手動レバーであるが電動式にしてもよい。【００２９】  尚、前記テント幕９３，９９は１枚ものであったが、これを複数分割型にしてもよい。例えば、図９のテント幕９３を左幕と右幕とに分けて独立して操作可能にしてもよい。また、図９のテント幕９３の半分など一部のみで構成してもよい。
さらに、テント装置９２には、収納ケース９８を設けて保護するようにしてもよい。
また、付加的な提案例であるが、図９に仮想線で示すように、支柱８２を利用してその外側に鳥居の反増に相当する反り上がり１０３を付加してもよい。この場合、反り上がり１０３を別途支持する補助支柱１０４を設けてもよい。【００３０】  図１０および図１１は付加的な提案例を示し、同例は、反応槽から最終沈澱池などへの流入水１０６のエネルギーを利用して横軸式でドラム型の水車１０７を連続回転させ、その回転力を駆動プーリー１０８からベルト１０９を介して従動プーリー１１０へ伝達して発電機１１１を駆動し電力を発生するようにしたものである。１１２は流入口である。【００３１】  発電機１１１からの電力は、制御盤１１３を通じて沈澱池上の駆動装置（減速機付きモーター）１１４を駆動させ、同装置１１４の駆動プーリー１１５の動力は、沈澱池内のアイドルプーリー１１６およびリンクチェーン１１７を介して池底上の汚泥掻寄装置１１８を前後に往復駆動させるために利用される。１１９は池底上に固定設置されたガイドレール、１２０は同ガイドレール１１９上で進退する機体、１２１は走行輪、１２２は前後複数枚の汚泥掻寄スクレーパである。
尚、本例は、曝気槽その他への流入水を導入する段階においても適用することができる。また、図１０の右下欄に示すように、図の向こう側から流れ来るようにした流入水路（流入渠）１２４内に、上からみてコの字枠状の水落口用仕切板１２５を縦置き設置して矢印Ｘのように流入水路１２４内の汚水が流れ込むようにし、その流れ込み個所に対応して水車１２６を横軸周りに回転するように設置して連続回転させ、その回転力を駆動プーリー１２７からベルト１２８を介して従動プーリー１２９へ伝達して発電機１３０を駆動し電力を発生するようにしたものである。１３１は制御盤、１３２は駆動装置、１３３は昇降により開閉可能なゲート、１３４は整流板である。
さらに、前記実施形態では水流を利用して発電機を回転させて駆動モーターを作動させるようにしていたが、水車の回転から直接、駆動減速機を回転させることも可能である。【００３２】  図１２ないし図１４は地震による家屋倒壊時に室内での安全を確保するための防護装置に関するもので、特に、２階室内でも設置可能な程の軽量化と搬送や搬入・設置に至便なように組立の容易化を図ったものである。
すなわち、図１２における２００，２００はフレーム本体で、それぞれがＦＲＰ一体成形品の一対のもので同一の構成とされ、同フレーム本体２００は、略四角形をした底板部２０１と、逆Ｌ字形をした側板部２０２と、門形をした端板部２０３と、略四角形をした天板部２０４とを有する。天板部２０４の一端には、左右の端板部２０３，２０３間をつなぐようにして図１３に示す連結板部２０５がそれぞれ一体に形成されている。これら連結板部２０５は、図１２および図１３に示すように、互いに前後に合わさって止着具２０６…により連結される。図１３の２０７は図１２には示していない補強リブで、同リブ２０７は、図１２における左右の方向を長手方向とし複数本設けられているが、同長手方向に直交する方向にもリブを設けてもよい（このことは他の実施形態でも同様に適用できる）。これらのリブは、図１２における他の板部にも設けることができる。なお、２０８は側面開口、２０９は端面開口である。【００３３】  底板部２０１は、図１４に示すように、合わされてその合わせ部上に接合板２１０を載せるとともに止着具２１１により互いに接合されている。こうしたフレーム本体２００は、ＦＲＰ製であるがその内部に強化ガラス繊維、炭素繊維、アラミド繊維、鉄やアルミ芯材（網状材を含む）を合成して強化樹脂とすることができる（このことは他の実施形態でも同様に適用できる）。同防護装置内には、図１２に示すように、和寝具２１２やベッド型寝具をセットすることができる。【００３４】  尚、図１２に示すように、防護装置の上回りには、金属あるいは樹脂（ＦＲＰや発泡樹脂を含む）、合成などのゴム質、木質等による上補強材２１３…を止着具により脱着自在に固定してもよい（このことは他の実施形態でも同様に適用できる）。【００３５】  また、図１２の左下欄に示すように、洋風のベッド２１５を組み入れる場合、一方のフレーム本体２００に矢印のようにベッド２１５を差し入れてのち、残る他方のフレーム本体２００を矢印のように合わせてベッド２１５をフレーム本体２００内に収めるようにする。この場合、ベッド２１５は前・後立板２１６，２１６（一方のみでもよい）を通常より高くしておき。フレーム本体２００内で支え部材として機能するようにしてもよい。そして、フレーム本体２００と立板（広くは立フレームと称する）２１６とを止着具により連結してもよい。また、強化したベッド本体２１７とフレーム本体２００とを連結するようにしてもよい。さらに、前後の立板２１６，２１６間を連結してもよく、こうすると防護装置が二重構造となり、より強度の高い安全な防護装置を提供することができる（このことは他の実施形態でも同様に適用できる）。前記ベッド本体２１７や立板２１６などは木質や金属質、樹脂質などいずれの材質をも採用することができる。前記ベッド本体２１７は、洋風を構成する場合についてのもので、和式寝具に対してはこのベッド本体２１７は薄い板状のものとなる。前記防護装置（ＦＲＰ製のフレーム本体２００やその中の立板２１６などの構成部材には、棚や収納ボックスなどの収納手段、化粧台や空調機器やＴＶなどの電気機器その他の所要備品を装備することができる（このことは他の実施形態でも同様に適用できる）。【００３６】  図１５の実施形態は、同じくＦＲＰ製で前後２分割・合体型とした和式寝具対応型の防護装置で、ベッドを内装することも可能なもので、フレーム本体２２０，２２０が、前記よりも短く四辺形にした底板部２２１と、側板部２２２と、門型の端板部２２３と、天板部２２４とを有するとともに、上コーナー部２２５を強度上有利な丸形に形成したもので、底板部２２１同士の間には、中間底板部２２６を介して止着具２２７…により相互連結したものである。
尚、同図に示すように、フレーム本体２２０には、強化ガラス繊維や炭素繊維などを編成した補強芯材２２８を同時合成したり、あるいは仮想線で示すように、鉄やアルミ、樹脂などによる細芯筋材２２９を適宜形状に組み合わせたり網状にして一体成形可能とすることができる（このことは他の実施形態でも同様に適用できる）。
また、同図に仮想線で示すように、合体線２３０のように縦割り合体方式にしてもよい（このことは他の実施形態でも同様に適用できる）。この場合、左右２分割の他に３ないし４分割式にしてもよい。また、縦横（上からみると十字形）分割合体方式にしてもよい。【００３７】  図１６は、前後２分割合体式のフレーム本体２３３であってその内部に棚２３４を装備したものである。
尚、同防護装置は、一側が出入り口２３５として比較的大きく開口してあるが、その対向する奥側の面はできるだけ強度を残すため開口面積を少なくした奥板部２３６として形成してある。只、圧迫感を少なくするため、丸窓２３７を数個設けることができる。その一方で、図１２あるいは図１５のようにフレーム本体を同一形態のものとする方式にしてその側面開口の奥側のもののみを他の閉止カバーで閉じるようにしてもよい（このことは他の実施形態でも同様に適用できる）。
また、フレーム本体は右上欄に示すように中央のフレーム本体ａとその前後の同一形態のフレーム本体ｂ、ｂとで３分割合体方式にしてもよい。【００３８】  図１７は、同じく地震対策用の防護装置についてのもので、前後同一形態としたＦＲＰ製のフレーム本体２４０，２４０の底部を箱形にしてその内部に側方から収納ボックス２４１を出し入れ自在とするとともにその上面を床板部２４２として同床板部２４２の上に和式寝具を備えたりあるいはベッド本体を載せつけたりすることができるようにしたものである。２４３はＴＶ機器、２４４は棚を示す。なお、合体線２４５付近を補強するため、フレーム本体２４０には補強帯材２４６を付してもよい。【００３９】  図１８は、地震あるいは土砂（山）崩れ、土石流などの災害に対する屋内設置型のシェルターについてのものである。２５０はシェルター本体で、全てＦＲＰ一体成形によるもので、底板部２５１、周板部２５２、天板部２５３を備え、避難出入り口２５４を適宜に１面あるいは２面（さらに３面や４面に設けてもよい）に形成してあるとともに、土石流などの衝撃に対して有効なようにリンクチェーンやロープなどによる飛び出し防止柵２５５を連結解除自在な形で上下複数段に掛け渡してある。この柵２５５は網状であってもよい。尚、同図に示すように、炭素繊維やガラス繊維などによる補強芯材２５６が一体成形されているが、鉄芯などの補強材を一体成形してもよい。また、シェルター本体２５０の内外には補強手段を適宜付すことができる。例えば、上記補強リブ２０７のようなものが適当である。【００４０】  図１９は、地震あるいは土砂（山）崩れ、土石流などの災害に対する屋内設置型のシェルターについてのものである。フレーム本体２５８はＦＲＰ製の丸胴型で補強強化してなり、その一方に出入り口２５９を有するとともに底部には転倒防止のための脚部２６０を一体あるいは別体で備えている。【００４１】  図２０および図２１は、地震で家屋が倒壊した際の室内での防護装置を示し、図２０は図２１のＨ−Ｈ線断面図、図２１は図２０の出入り口側からみた正面図を示している。
これまでの防護装置は、４本の支柱が１本ずつのパイプ製であったため強度的に満足させ得るには大きな径のものが必要であったが、本実施形態の場合には、アングル状断面で上へ向けて幅が広くなった金属板材による本体２６４とその４つのコーナーの溝側に溶接により組み合わせた矢板に似た形状の補強支柱２６５とにより構成したものである。本体２６４はいずれかの個所で相互溶接してつないでいる。本体２６４のプレス成形されたコーナー部分と前記補強支柱２６５とにより軽量でありながら強度の高い支柱が構成されているのが特徴である。また、本体２６４は、正面、その奥側面、左右側面からみるとアーチ状の開口をしており、この部分に沿って補強パイプ（中実ロッドでもよい）２６６を溶接一体化して全体を構成してある。そして、パイプ製の天枠２６７内に天板（図示省略）を張ってある一方、図２０に示すように矩形枠状の底枠２６８を設けて前記本体２６４や補強支柱２６５および補強パイプ２６６などの基部を溶接固定してある。
尚、図２１に仮想線で示すように、４つのアングル状コーナー部分とその上端間を水平につなぐ連結板部分とでなる本体２６４′のように門型に形成してそうした門型を四方四面に一体化するとともに内縁部分に補強パイプ２６６′を溶接一体化して防護装置を構築してもよい。前記アングル状コーナー部分を１つの規格鋼材としそれに前記水平な連結板部分（フラットバー）を溶接一体化して作製することができる。この場合、門型であるので椅子の前部が入り、そのことからこの防護装置を食卓テーブルやＰＣ作業台や書斎机などの作業台等として用いてもよい。逆にいえば食卓などの台が本来の使用目的でそれが軽量でありながら強力な耐震構造になっているということである。食卓などとして使用する場合、図２０に示すような底枠２６８の図でいう上下の枠部分が椅子の脚と干渉するのを避けるため、図２０の右欄に示すように長手方向の端部枠のみの底枠２６８′あるいは同底枠２６８′に中央横つなぎ材（鋼鉄など金属製）２６９を結合して強化したものにしてもよい。底枠２６８′および中央横つなぎ材２６９の存在はフロアーにおける底抜けを防止するのに有効であり、より有効化するためその底面に緩衝材を付すこともできる。前記補強パイプ２６６′のまわりには避難するときに頭を打たないようにクッション・コムなどの緩衝材を付してもよい。食卓などとして使用する場合、上面は図２０の底枠２６８のような枠構造としてその上に緩衝材を介してあるいは直接天板（金属板や木質板など）を配してもよい。【００４２】  図２２ないし図２５は、津波（あるいは洪水や土石流など）避難用施設に関するもので、同施設は、４本の丸パイプ（あるいは図示しない角パイプ）製支柱２７０…を基礎コンクリート２７１の矩形頂点位置に対応する４点から垂直かつ平行に立設固定し、同支柱２７０の２階部分と３階である屋上部分をＨ鋼などの横連結材２７９により連結固定するとともに、屋上では、図２２に破線で示すような前記横連結材２７９とそれに組み合わさるステージ床材２７２…などにより支柱２７０の構成する面積よりも張り出し状に広くした避難ステージ２７３を形成したものである。【００４３】  ２７４は公民館や消防署などの既設あるいは新設の建造物で、この建造物２７４の図示した海岸線側（津波Ｔの襲来してくる側）に津波避難用タワーである避難用施設Ａを隣接状に設置してある。同施設Ａは、図２４における逆サイド、すなわち、図２４における建造物２７４より左側あるいは右左双方）や図２３における横サイド（図２３における建造物２７４の左右一方あるいは両方）に設けることもあるし、例えば、建造物２７４を中心にしてその四方のうち選択する２箇所（例えば、Ｔ側と横サイドなど）など複数個所に設けることもある。
建造物２７４には外部に避難階段が設けられることが多いが、この階段や踊り場と本施設物Ａとを連絡することもある。
同施設Ａは、図２２に示すように、支柱２７０を正四角形の頂点配置にしてもよいが、この実施形態では、一辺が横に長い矩形の頂点配置にしてある。そして、その長い辺が建造物２７４の一辺と少し離間して平行になる関係にしてある。
施設物Ａは、図１から９に示す構造のものであったり、図２６から２８に示す構造のものであることもある。【００４４】  ２７５は第１階段、２７６は第２階段で、両階段２７５，２７６は踊り場２７７で通じている。これらの階段２７５，２７６は、積極的に津波の襲来を想定した強度メンバーを使用した剛強構造にすることがある。
尚、２７８は予備防護材で、丸パイプや角パイプあるいはＨ型鋼、アングル材などを使用して施設物Ａの前方に離間して固定配置されて津波（図２４の矢印Ｔ）とともに流れ来るものに伴う衝撃などからタワーを護るものである。同防護材２７８の外周にゴムなどの緩衝材を付すこともある。【００４５】  ２８０は連絡ブリッジで、同ブリッジ２８０は、避難ステージ２７３側から建造物２７４の屋上２８１へ向けて下がるように片持式に張り出して設けられている。屋上２８１へ連絡しないこともある。ブリッジ２８０の基部は、溶接により避難ステージ２７３側に−体化してもよく、同図のように連結軸２８２を介して現場組立可能に連結してもよい。また、２８３は支持ステーで、施設物Ａ側から斜め上に伸びてブリッジ２８０の中間底部に連結固定されて支持している。さらに、２８４は転動輪で、ブリッジ２８０の先端に取り付けられており、この転動輪２８４と屋上２８１面との間には少しの間隔が残された状態になっている。
尚、避難ステージ２７３は７ｍ前後の高さになっているが、その高さは設置場所の想定津波高さより１ｍ以上の余裕を持たせて設定するものである。
ブリッジ２８０は、基部を回転自在にして建造物２７４の屋上高さにマッチングするように支持ステー２８３をシリンダ方式で上下調節可能にすることがある。ブリッジ２８０は施設物Ａ側に支持されて屋上２８１の向きに伸びているが、屋上２８１などの建造物２７４側に支持されて施設物Ａの向きに伸びることもある。
また、ブリッジ２８０は建造物２７４側と施設物Ａの双方に連結されることもある。さらに、前記踊り場２７７と建造物２７４の適当階との間をブリッジ２８０で連絡することもある。この場合、建造物２７４の屋上に必ずしも連絡する必要はなく、途中階に連絡してもよい。
津波避難時には、建造物２７４から避難ステージ２７３側へ避難するか逆に避難ステージ２７３側から建造物２７４側へ避難するかは自由である。また、前記実施形態では、タワー側からブリッジ２８０を伸ばしていたが、屋上２８１側から伸ばしてもよい。前記ブリッジ２８０は階段式になっていたが、スロープ方式にしてもよい。前記支柱２７０は４本以外に２本、３本、５本、６本以上でもよい。
また、建造物２７４の屋上高さと施設物Ａの２階高さとが完全あるいは略一致する場合には、ブリッジ２８０を省略して両建物を近接配置するだけで乗り移ることが可能になる。
建造物２７４の屋上高さと施設物Ａの屋上高さとが一致する場合も同様のことがいえる。【００４６】  図２６ないし図２８は、津波避難用施設である津波タワーに関するもので、３本あるいはそれ以外の本数の支柱２８７…と、これら支柱２８７間を２階部分および屋上部分においてつなぐ横連結材２８８とを備え、屋上に避難ステージ２８９を構成して階段を通じて７ｍ前後の高さＨに避難可能にしたものであって、特に、これまでは、図１ないし図４に示す例のように、地上から２階高さまでに１本の階段を配し、２階部分から避難ステージ２８９までを他の１本の階段を配していたため、老人や障害をもつ人が避難するには傾斜がきつく避難しがたい面もあった。【００４７】  そこで、図２６ないし図２８に示すように、階段を２本でなく第１・第２・第３の３本の階段２９１，２９２，２９３でもってタワー外回りに配置して構成するとともにそれによってこれらの傾斜角を従来よりも緩徐なものとしたところに特徴をもつ。図２７の矢印Ｔは、想定される津波の襲来してくる方向であり、これに対して、第１の階段２９１は、津波により登り避難する人が流されないように施設の後回りにくるように配置してある。第２の階段２９２は、前斜め上がりになるように２本の支柱２８７間外側に設けられ、第３の階段２９３は次の支柱２８７，２８７間の外側にくるように配置されている。
尚、前記階段はスロープのみあるいは階段とスロープ併設型にしてもよい。また、図２８の右欄に示すように、手摺２９５にはガイドレール２９６を付して老人などの弱者を電動リフター２９７に搭乗させて避難させ得るようにしてもよい。
前記階段２９１，２９２，２９３は３本で、２本の支柱２８７，２８７を巻き込むように設けられているので、前方からくる津波Ｔによる抗力、特に捩りに対しての抗力が大きくなるメリットがある。【００４８】  図２９および図３０は、付加的な提案例を示すもので、３００は生徒用の机、３０１は同じく生徒用の椅子であり、机２００は、４本のパイプ製の脚３０２と脚３０２間をつなぐ連結杆３０３と収納棚３０４および上面の天板３０５を備える。椅子３０１は４本の脚３０７と座板３０８および背もたれ３０９とを備え、背もたれ３０９は背部の受け枠３１０に取り付けられている。【００４９】  机３００の上面と椅子３０１の座面には、吸着関係となるマグネット３１１が対応して配備され、地震が発生あるいは警報を受けたときは、椅子３０１を転回して仮想線のように座板３０８を天板３０５上に載せつけてマグネット３１１同士を吸着させて椅子３０１を机３００上に固定したあと机３００内にもぐり込むようにすれば地震発生時に机３００だけではなく上部に椅子３０１があることからより有効に護られることになる。尚、マグネットはベルクロで構成してもよい。【００５０】  図３０の例は、椅子３０１の後側の脚３０７下端に安全なようにフック３１３を付けておき、地震が発生した際には、椅子３０１を持ち上げてフック３１３を机３００の前縁に引っ掛けて固定するようにすれば同じく安全性が向上する。【００５１】  図３１の例は、机３００の上面前部に数個の孔３１５を明けておいてそこに椅子３０１の脚３０７を突っ込むようにして椅子３０１を机３００の上に防護のために立てるようにしたもので、仮想線のように机３００の前縁に差し込み受具３１６を備えておいてそこに脚３０７を突っ込むようにしてもよい。尚、差し込み受具３１６は右欄のように横長状のものにしてそこに受け枠３１０および背もたれ３０９を突っ込むようにして防護を図るようにしてもよい。【００５２】  図３２の例は、机３００に設けられた収納棚３０４内に相当する机３００の底面に５ないし８ｃｍ程度の高さとした通し枠３１８を取り付けておき、地震発生時には、図示のように後側の２本の脚３０７，３０７を差し込んでこじれにより椅子３０１が固定されるようにすることで同椅子３０１が補助的な防護手段となるようにしたものである。同様の方法として、同通し枠３１８内に受け枠３１０および背もたれ３０９を突っ込むことで椅子３０１を固定するようにしてもよい。仮想線で示すように収納棚３０４に通孔３１９を明けておいてそこに椅子３０１の脚３０７を通すようにしてもよい。【００５３】  図３２の例は、家屋３２２内に便器３２３や風呂釜３２４が設けられてその排水管３２５が地下に導かれたものにおいて、その排水管３２５の途中に逆止弁装置３２６を設けることにより洪水時に逆流による便器３２３などからの噴出しを防止することができるようにしたものを示す。【００５４】  逆止弁装置３２６は、右下欄に拡大して示すように、排水管３２５間に連結されたやや太径状の装置ボディ３２７の上流側排水管３２５に補助管３２８を接続してその先端を斜め切り状の開口とするとともに、同補助管３２８の一側に回転軸３２９を備え、この回転軸３２９周りに垂下状のバ���ブ板３３０を備えてある。回転軸３２９回りからは、アーム３３１を張り出すとともにその先端にフロート３３２を備えて前記バルブ板３３０とともに回転自在とする。３３３はアーム３３１を水平に止めるためのストッパである。【００５５】  仮想線矢印Ｚのように洪水に伴い逆流が発生すると、その水流と水圧によりフロート３３２が持ち上げられて右回りに回転し、それに伴いバルブ板３３０が補助管３２８の開口を水圧もあって密閉状に塞ぐようになって逆流をここで阻止する。
尚、同図に示すように、３３４はリリーフ弁で、逆流圧が一定以上になった時点で作動して排水する。【００５６】  図３４の例は、補助管３３６の下端開口を塞ぐ半円型のバルブ３３７を回転軸３３８周りに取り付けて通常時の排水に支障のない位置に待機するようにし、回転軸３３８周りからはアーム３３９を張り出してその先端にフロート３４０を備えて、逆流に伴いフロート３４０が浮上してバルブ３３７を補助管３３６の開口を塞ぐように構成してある。【００５７】  図３５の提案例は、杉や檜、松などの生長樹木４００…を次の工程で根元から切断して倒し、その生長樹木４００…を枝切りして幹４０１としてのち、その幹４０１を直角寸断個所４０２および斜め寸断個所４０３を交互に交えて寸断して一端が３０度の先鋭部４０４ａとされた杭４０４…を多数本作ってゆくようにする。
尚、樹皮を剥がしてもよいしそのままの姿でもよいが、いずれにしても防腐処理をしておく。また、寸断は、倒した山林においてその場で行うのでもよいし、一旦山林以外の処理場（河川敷や木材工場など）へ運んで行うようにしてもよい。【００５８】  こうして作った杭４０４…は、図３６に示すように、先鋭部４０４ａに少し大きな先鋭筒状をした金属製の食い込み鞘４０５を被冠固着してこれらを山崩れや土石流を発生するおそれのある面域に次々に打ち込んでゆく。
尚、これらの鞘付き杭４０４…は仮想線で示すように杭４０４上部回りに取り付けられた打撃受け盤４０６と杭４０４回りに沿って上下操作される打撃ウエイト４０７との組み合わせによって打ち込まれるが、打撃機により打ち込むようにしてもよく、図の左側に示すようなやや細い杭４０４にあっては振動式杭打ち機により打ち込んでもよい。
また、杭４０４間は連結材４０８で強固につなぐと杭全体が協同して山崩れなどを阻止する。
さらに、鞘４０５には、通孔を複数空けてもよい。
また、図３６に矢印４０４で示すように、垂直方向からでなく山林土壌面に直交するように打ち込んでもよい。【００５９】  図３６に同時に示すように、山林表面には降雨時の雨水を受け入れて横流しにする樋４０９を埋め込んで設けて崩れやすい山を護るようにしてもよい。
また、同時に示すように、山崩れや土石流を防止するため、内部水の抜きと土砂の崩れ防止の両機能を発揮する先鋭状杭４０４…を水平方向にあるいは下がり傾斜状に打ち込んで右図のように例えば、３本まとまった状態にしてもよい。これらの杭４０４…は、その間やまわりから排水が自在になされる。丸や角パイプでなる杭４１０を打ち込んで土砂の崩れを防止したりその中心孔から排水が促進されるようにしてもよい。【００６０】  図３７は、前記のように杭４０４が右側に示すように打ち込まれた状態でこれらの杭４０４を山（あるいは丘）の裏側に打ち込んだ牽き杭４１２との間に張ったワイヤーロープやリンクチェーンなどの牽き線条材４１３により食い止めるようにして山崩れや土石流の発生を食い止めたり軽減させるようにしたものである。【００６１】  図３８は、通常の山崩れなどの対策をしていない裏山や前記のように対策を施した裏山４１５が想定しない崩れを発生した場合にその裾先の家屋４１６を護るようにした提案例を示す。崩れ土砂が襲来する個所に、Ｕ字溝ブロック体４１７…や口型ブロック体・アーチカルバートなどを前後複数段に組み合わせ配備して杭４１８…で固定待機させたものである。前記ブロック体４１７は、その底一部を土中に埋め込めばその対抗安定性は向上する。
右下欄のように、溝内に土砂が入り込みやすくしかもその土砂力をがっちりと受け留めるように前傾姿勢にしてもよい。
同図のように杭４１８…は、側面からみて互いに立体交差する関係で打ち込んでもよい。尚、ブロック体４１７の前段階や同ブロック４１７の内面あるいはブロック体４１７の前後間のうちこれらの選択された個所（全ての個所を含む）には、緩衝材４１９…を配備しておけば、土石流や土砂崩れのエネルギーが衰弱化する。
前記杭４１８は、ワイヤやリンクチェーンなどの牽条材に代えてあるいは同牽条材とともに構成することができる。
また、前記Ｕ字溝ブロック体である場合には、その中に山形ガイドをセットしておけば土砂崩れがブロック体４１７の中に入ってきても左右に振り分けることができる。【００６２】  図３９は、同じく災害の１つである洪水時の車両浮上安全対策例を示すものである。
４２１は駐車あるいは停車状態にある普通乗用車である車両で、この車両４２１には、車体４２２の前後に車輪４２３が装備されている。車体４２２の内部には、フロントシート４２４とリアシート４２５が装備されている。フロントシート４２４は、座部ａと背もたれｂおよびヘッドレストｃを有し、リアシート４２５は、座部ｄと背もたれｅを備えている。【００６３】  洪水が発生するとそのままでは車両４２１内が浸水するため、この例では、外部あるいは内部の水位をセンサーで感知すると、前後の背もたれｂ、ｅ内に圧縮して格納しておいた膨張式浮き袋４２６，４２６がガスの発生により膨張し、水害でも車両４２１を浮かせて浸水を阻止する。
尚、浮き袋４２６は座部ａ、ｄに格納したり、フロントシート４２４の左右間のコンソールボックスに付帯装備してもよい。また、同浮き袋４２６は、座部ａ、ｄの底部のスペースを利用して格納してもよいし、複数のドア内空間に格納してもよい。さらに、トランクボックス内に格納してもよい。また、必要に応じて車体４２１の底外部に沿って平坦な格納庫を設けて膨張するようにしてもよい。【００６４】  図４０ないし図４２の提案例は、同じく水害に対する車両浮上安全対策例を示す。
４２８は車体、４２９は車輪で、４３０は駐車場を示し、駐車場４３０の各車輪４２９に対応する底側に矩形の凹み４３１を形成してあるとともに、これら凹み４３１にそれぞれ対応する底板４３２と上板４３３とを備え、これら底板４３２と上板４３３との間には、発泡スチロールなどの浮き体４３４を挟み込み、止着具４３５によりこれら全体を一体化してある。【００６５】  そして、図４０に示すように、前あるいは後一対の車輪４２９の下回り前後に対応するような山形のストッパ４３６を左右の底板４３２間に渡してある。駐車した車両は、待機固定したストッパ４３６間に車輪４２９が嵌り合う形で停止している。その状態で洪水を受けたとき、４個の浮き体４３４が浮力を発生して車体４２８を浮き上がらせる。
尚、浮き上がった車体が漂流しないように図４０のような一定寸法分のみ伸びるアンカー４３７を備えておいてもよい。
また、図４０および図４１に仮想線で示すように、前後の底板４３２間をつなぎ板４３８で結合しておいて同時浮上を可能にしてもよい。【００６６】  図４３（内部緩衝材を省略した状態の外観斜視図）および図４４（図４３の中段高さにおける横断面図）は、地震発生に伴う家屋倒壊時の避難用であることは勿論、さらに過激な土砂崩れや土石流などが発生した際の避難用としても機能し得るようにしたシェルターについての例を示す。【００６７】  ４４１は主柱で、金属製のアングル材であるが、丸や角パイプなどでもよい。この主柱４４１は外周に４本配備され、これらの上端および下端間は、同じくアングル材で平面四角枠に形成した上枠４４２、下枠４４３が一体化されるとともに、これら枠４４２，４４３内には十字形をした内連結材４４４が設けられている。前記主柱４４１の内側には、図２０に示すような補強支柱２６５を溶接一体化してもよい。【００６８】  ４４５は横連結材で、主柱４４１の隣り合う間を水平にかつ上下複数段にわたって連結一体化するものである。この横連結材４４５はフラットバーであるが、他の種類の部材を使用することができる。
４４６は縦連結材で、上枠４４２と下枠４４３の間を横連結材４４５をも結合してむすんでいる。但し、前記横連結材４４５および縦連結材４４６は、３面のみに設けられており、図４３の左手前側、図４４の左側面には設けられていない。【００６９】  これらの左面には、ヒンジ４４８によるドア４４９が開閉自在に取り付けられている。このドア４４９は、外粋４５０の中に横連結材４５１と縦連結材４５２を一体化して内外の面板４５３を備えてなるもので、その他開閉ノブ４５４を備える。そして、同ドア４４９には、ドアとは別個に開閉可能な補助ドア４５５が外開き式に設けられている。この補助ドア４５５は、シェルター内に閉じ込められた人が独自にあるいは救出人により救出される際に活用される。補助ドア４５５は強化ポリカーボネートを使用してもよい。前記補助ドア４５５には、ジャッキを付属すれば自ら逃げ出したり救出される場合の一助にすることができる。
尚、シェルター内面には、図４４に示すように、上下および内周３面にそれぞれ緩衝材（クッション）４５６が取り付けられている。前面の緩衝材４５６はドア４４９の内面に貼り付けられている。この緩衝材４５６の外側には、図４４の右欄に示すように強化型の内張メッシュ４５７をシェルター枠体側に固定される形で張り付けてもよい。メッシュ４５７はシェルター枠体の外面にも張ってもよい。【００７０】  このシェルターは、土石流などの心配な家屋内に設置され、土石流が発生するおそれがある場合、ドア４４９によりシェルター内に避難すればこのシェルターが土石流で転がったり土石水が入ろうとしても強化した枠体および内部の緩衝材の存在により完全に阻止される。そして、土石流が治まった時点で補助ドア４５５を開けて脱出することができ、また救出隊によっても元気な形で救出される。【００７１】  図４５は、地震時家屋倒壊対策だけでなく前記のような土石流や土砂崩れにも対応できるベッド内装可能型シェルターに関するものである。尚、同図は内面全体に張り付けられる内張り緩衝材を図示省略してある。その貼り付け状態は図４４に断面図として示すものと同様であり図４４の右欄図のように強化メッシュを張ることもできるものである。同シェルターは、幅１．５ｍ×長さ２．２ｍで高さが１．５ｍの直方枠体をしたものである。【００７２】  ４６０は主柱で、金属製のアングル材であるが、丸や角パイプなどでもよい。この主柱４６０は外周に４本配備され、これらの上端および下端間は、同じくアングル材で平面四角枠に形成した上枠４６１、下枠４６２が一体化されるとともに、これら枠４６１，４６２内には複数本で平行な（あるいは十字形をした）内連結材４６３が一体に設けられている。
尚、前記主柱４６０の内側には、図２０に示すような補強支柱２６５を溶接一体化してもよい。【００７３】  シェルターのＬ方向である前後方向の端面内には、横連結材４６４が設けられ、それにより区画された上下の枠内にはブレースでなる補強斜材４６５が交差状に設けられている。シェルターのＷ方向である左右の側面には、縦連結材４６６が設けられ、そのうち避難出入り口側である左側では、２本の縦連結材４６６が設けられるとともにその前後には横連結材４６４と補強斜材４６５が構築一体化され、２本の縦連結材４６６間には、ヒンジ４６７で開閉自在に支持されたドア４６８が嵌め込まれてノブ４６９で開閉・ロック操作可能とされている。４７０は土石流などで埋められた際に自ら逃げ出したり救出を受けたりする際に活用される補助ドアである。この補助ドア４７０には、ジャッキを付属すれば自ら逃げ出したり救出される場合の一助にすることができる。【００７４】  シェルターの右側面は縦連結材４６６と横連結材４６４および補強斜材４６５で構築されている。
尚、シェルター内には、図示しないベッドが設置されるが、その設置のため、シェルターの一部あるいは全体を現場組立可能な構造とすることがある。上下および内周４面にそれぞれ緩衝材（クッション）が取り付けられている。この緩衝材の外側には、図４４の右欄に示すように内張メッシュ４５７をシェルター枠体側に固定される形で張り付けてもよい。メッシュ４５７はシェルター枠体の外面に張ってもよい。【００７５】  このベッド設置用のシェルターは、土石流などの心配な家屋内に設置され、土石流が発生するおそれがある場合、ドア４６８によりシェルター内に避難すればこのシェルターが土石流で転がったり土石水が入ろうとしても強化した枠体および内部の緩衝材の存在により完全に阻止される。そして、土石流災害が治まった時点で補助ドア４７０を開けて脱出したりまた救出隊による救出が簡易・確実化する。尚、図４３ないし図４５に示す提案例においては、シェルター内部に這い出しや救助まで生命を維持するための必要備品（食料・飲料・酸素ボンベ・救急医薬品・這い出し援助器具など）を常備しておくことができる。
【図面の簡単な説明】
【００７６】
【図１】  本発明の一実施形態を示す図２のＩＩ−ＩＩ線に沿った平面図。
【図２】  図１の非常時避難装置の正面図。
【図３】  図２のＩＩＩ−ＩＩＩ線断面図。
【図４】  図２のＩＶ−ＩＶ線断面図。
【図５】  ステージ床材の支持構造を示す断面図。
【図６】  差し込み方式を採用したステージ床材構造の斜視図。
【図７】  屋上手摺などを木調仕上げにした例を示す正面図。
【図８】  図７のＶＩＩＩ−ＶＩＩＩ線断面図。
【図９】  他の実施形態を示す斜視図。
【図１０】  付加的な提案例を示す断面図。
【図１１】  図１０の要部拡大斜視図。
【図１２】  他の実施形態を示す防護装置の斜視図。
【図１３】  図１２の合体部分の拡大断面図。
【図１４】  図１２の底板部同士の結合方法を示す断面図。
【図１５】  他の実施形態を示す防護装置の斜視図。
【図１６】  他の実施形態を示す防護装置の斜視図。
【図１７】  他の実施形態を示す防護装置の斜視図。
【図１８】  シェルターについての他の実施形態を示す斜視図。
【図１９】  シェルターについての他の実施形態を示す斜視図。
【図２０】  防護装置についての他の実施形態を示す図２１のＨ−Ｈ線断面図。
【図２１】  図２０の正面図。
【図２２】  津波避難用施設についての他の実施形態を示す平面図。
【図２３】  同施設の正面図。
【図２４】  図２３のＹ−Ｙ線断面図。
【図２５】  図２３のＸ−Ｘ線断面図。
【図２６】  津波避難用施設についての他の実施形態を示す平面図。
【図２７】  図２８のＱ−Ｑ線断面図。
【図２８】  津波避難用施設の正面図。
【図２９】  他の実施形態を示す生徒用机・椅子についての防護方式を示す側面図。
【図３０】  他の実施形態を示す生徒用机・椅子についての防護方式を示す側面図。
【図３１】  他の実施形態を示す斜視図。
【図３２】  他の実施形態を示す斜視図。
【図３３】  付加的な提案例を示す説明図。
【図３４】  他の実施形態を示す説明図。
【図３５】  土砂災害対策の一提案例を示す説明図。
【図３６】  図３５により作られた杭を災害のおそれがある個所へ打ち込む様子を示す断面図。
【図３７】  他の提案例を示す側断面図。
【図３８】  他の提案例を示す側断面図。
【図３９】  車両を水害から護るための他の実施形態を示す説明図。
【図４０】  同じく車両を水害から護るための他の実施形態を示す横断平面図。
【図４１】  図４０の側面図。
【図４２】  図４１の縦断背面図。
【図４３】  土砂災害対策用の避難シェルターを示す斜視図。
【図４４】  図４３の横断平面図。
【図４５】  土砂災害対策用のベッド内装型シェルターを示す斜視図。
【符号の説明】
【００７７】  ３…支柱  １０…外側避難ステージ受枠  １１…避難ステージ  １２…ステージ床材  ２５…木調外装材。
【図１】
2008050927.tif 000003
【図２】
2008050927.tif 000004
【図３】
2008050927.tif 000005
【図４】
2008050927.tif 000006
【図５】
2008050927.tif 000007
【図６】
2008050927.tif 000008
【図７】
2008050927.tif 000009
【図８】
2008050927.tif 000010
【図９】
2008050927.tif 000011
【図１０】
2008050927.tif 000012
【図１１】
2008050927.tif 000013
【図１２】
2008050927.tif 000014
【図１３】
2008050927.tif 000015
【図１４】
2008050927.tif 000016
【図１５】
2008050927.tif 000017
【図１６】
2008050927.tif 000018
【図１７】
2008050927.tif 000019
【図１８】
2008050927.tif 000020
【図１９】
2008050927.tif 000021
【図２０】
2008050927.tif 000022
【図２１】
2008050927.tif 000023
【図２２】
2008050927.tif 000024
【図２３】
2008050927.tif 000025
【図２４】
2008050927.tif 000026
【図２５】
2008050927.tif 000027
【図２６】
2008050927.tif 000028
【図２７】
2008050927.tif 000029
【図２８】
2008050927.tif 000030
【図２９】
2008050927.tif 000031
【図３０】
2008050927.tif 000032
【図３１】
2008050927.tif 000033
【図３２】
2008050927.tif 000034
【図３３】
2008050927.tif 000035
【図３４】
2008050927.tif 000036
【図３５】
2008050927.tif 000037
【図３６】
2008050927.tif 000038
【図３７】
2008050927.tif 000039
【図３８】
2008050927.tif 000040
【図３９】
2008050927.tif 000041
【図４０】
2008050927.tif 000042
【図４１】
2008050927.tif 000043
【図４２】
2008050927.tif 000044
【図４３】
2008050927.tif 000045
【図４４】
2008050927.tif 000046
【図４５】
2008050927.tif 000047